(57)【要約】      （修正有）【課題】仰向けと横向きの両側で寝るための人間工学に基づいた両用枕を提供する。【解決手段】枕１００には、少なくともその厚さの中央に複数の通気孔１０が間隔を置いて配置され、隣接する２つの通気孔ごとに弾性支柱２０が形成され、通気孔および／または弾性支柱の数、幅、配置密度または高さを調整することにより、枕の中央支持部１０１のフィードバック支持力は、枕の２つの側面支持部１０２のフィードバック支持力よりも小さい。ユーザーが側面支持部で寝ると、側面枕の中央凹部が頭を落としやすいという問題を克服することができる。そして、中央支持部に横で寝ていても頸椎を適切に支持することができ、特に寝返りをして寝姿勢を変えると、首や後頭部が自然に曲がって中央支持部や側面支持部の上部に移動し、適切な支持が得られる。睡眠中断を引き起こさないために、頭を持ち上げてから位置を動かす必要はない。【選択図】図１
0003232583.tif 000002
【実用新案登録請求の範囲】
【請求項１】
人間工学に基づいた両用枕であり、前記枕は、少なくともその厚さの中央部に複数の通気孔を備えており、２つの隣接する前記通気孔ごとの間に弾性支柱が形成され、前記枕の中央部に配置された複数の前記弾性支柱は、後頚部と後頭部を支えることができる中央支持部を形成し、前記枕の両側は、頭の両側を安定して支えることができる側面支持部を形成し、そして、前記各通気孔および／または弾性支柱の数、幅、配置密度、または高さを調整することにより、前記中央支持部のフィードバック支持力は、前記側面支持部のフィードバック支持力よりも小さく、ユーザーが仰向けに寝ている場合でも横向きに寝ている場合でも、力を加えない場合、頸椎は自然な曲線にほぼ一致し、ひっくり返すとき、意図的に頭を持ち上げて動かす必要はなく、人間工学に一致することを特徴とする、人間工学に基づいた両用枕。
【請求項２】
前記枕の厚さは、２つの前記側面支持部に対して対向的な位置に、複数の前記通気孔および前記弾性支柱を備えており、前記各通気孔および／または弾性支柱の数、幅、配置密度、または高さを調整することにより、前記中央支持部のフィードバック支持力は、前記側面支持部のフィードバック支持力よりも小さくなることを特徴とする、請求項１に記載の人間工学に基づいた両用枕。
【請求項３】
前記複数の通気孔は、枕上で縦方向に平行に配置され、または横方向に平行に配置され、或いはドットマトリックス状に配置されることができることを特徴とする請求項２に記載の人間工学に基づいた両用枕。
【請求項４】
前記枕は一体的に形成されるか、または下層パッドと前記下層パッドの上面に積層された上層パッドで構成され、前記上層パッドの上には、ユーザーが枕の上に横たわっている枕の表層があることを特徴とする、請求項３に記載の人間工学に基づいた両用枕。
【請求項５】
前記複数の通気孔は、複数の平行に配置された断面溝によって形成され、前記平行に配置された断面溝は、それぞれ、前記上層パッドおよび／または下層パッドの底面または上面に配置され、前記上層パッドおよび下層パッドが積み重ねた後、前記中央支持部と２つの側面支持部を形成することを特徴とする、請求項４に記載の人間工学に基づいた両用枕。
【請求項６】
前記中央支持部の複数の断面溝と２つの側面支持部の複数断面溝は、それぞれ、上層パッドと下層パッドの対応する、重なり合う表面上に互いに交錯して配置されていることを特徴とする、請求項５に記載の人間工学に基づいた両用枕。
【請求項７】
前記上層パッドの中央底面は上部凹部または下部凸部を有し、前記下層パッドの中央上面は前記上部凹部または下部凸部に対応して合わせる上部凸部または下部凹部を有することを特徴とする、請求項５に記載の人間工学に基づいた両用枕。
【請求項８】
前記枕の中央支持部の複数の断面溝と弾性支柱に対応して、上層パッドの下部凸部の底面または下層パッドの上部凸部の上面に配置されていることを特徴とする、請求項７に記載の人間工学に基づいた両用枕。
【請求項９】
前記枕は上層パッドの前部に寄りかかって積み重ねている補助パッドをさらに含み、前記補助パッドの両側の上面または下面には、複数の平行に排列された断面溝が設けられており、前記補助パッドの中央が人間の頸椎に対応する首支持部を形成することを特徴とする、請求項４から請求項８のいずれの請求項に記載の人間工学に基づいた両用枕。
【請求項１０】
前記表層の２つ側面の反対側にある側面支持部の上面は、中央支持部に向かって下向きに傾斜していることを特徴とする、請求項９に記載の人間工学に基づいた両用枕。
【考案の詳細な説明】
【技術分野】
【０００１】
本考案は、仰向けおよび横向きの睡眠のための人間工学に基づいた両用枕である。技術的内容は、枕の中央に複数の間隔を置いた通気孔および弾性支柱を設置することを含む。枕中央部のフィードバック支持力は両側よりも小さいため、ユーザーが横向きに寝ているとき、またはひっくり返ったときに、頸椎が力を入れずに自然な曲線を維持でき、人間工学に一致している。
【背景技術】
【０００２】
現在市販されている従来の枕は皆、単一の材質で設計されており、ユーザーはしばしば頸椎を弛緩させるために適切な高さの枕を選択する必要がある。例えば、横向きで寝るのに慣れている人は、肩が頸椎を高く支えているため、通常は高さの高い枕を選び、仰向けに寝るのに慣れている人は、後頭部の曲線および頸椎と頭の表面との距離が短いため、通常、高さの低い枕を選ぶ。
【０００３】
研究によれば、横向きまたは仰向けに寝ることに慣れている人は、人体が深い眠りの状態にあるとき、生理学的反応は、体の体重を支える部分が圧縮されるのを自動的に防ぎ、無意識のうちにひっくり返って寝姿勢を調整する。その結果、横向きに寝ている人がひっくり返って仰向けになると、枕が高くなりすぎて首が圧迫され、不自然に前に押し出され、不快感を引き起こす。同様に、仰向けに寝ている人が横向きに寝ると、枕が低すぎると首がたるんでしまう。ひっくり返した後のこのような不自然な頸椎の屈曲は、しばしばユーザーの首の筋肉が無意識に反対方向に力を及ぼす原因となり、しばらくすると、首の筋肉が引っ張られ、炎症を起こし、いわゆる寝違えを引き起こす。
【０００４】
上記の問題を克服するために、業界は、台湾で実用新案を出願し、登録された考案、例えばＴＷＭ５５２３２０、ＴＷＭ５７１１９６、ＴＷＭ４７９７０１などのような特別な側面枕を開発した。その構造は主に枕の中央に凹部を設けることで、枕の両側の厚みが中央の厚みよりも厚くなり、横向きで寝るのに慣れている人は、枕の高い方を使って横向きで寝るときに頭の側面を支えられることが期待されている。仰向けに寝ることに慣れている人は、中央の凹部を通して、低い高さで首を支えることができる。
【０００５】
しかしながら、上記の側面枕を実際に使用すると、側面枕は全体として同じ材料でできているため、両側と中央に同じ支持力が与えられていることがわかる。また、中央凹部は、中央に比べて両側の傾斜が大きいため、逆に、横向きまたは仰向けで寝るのに慣れている人は、安らかに眠ることができない。
【０００６】
例えば、仰向けに寝ることに慣れている人が中央凹部に仰向けに寝ている場合、横向きに寝ると、中央凹部の高さが足りないので、肩や腕を圧迫しやすく、首に不快感を与える。また、上記側面の急な傾斜は、鼻と口の位置にあり、呼吸を妨げやすい。したがって、横向きに寝返った後、ユーザーは頭を持ち上げて枕の両側の高い位置に移動する必要があり、これにより、睡眠が妨げられ、睡眠が中断される。
【０００７】
別の例として、横向きで寝ることに慣れている人の頭が枕の横の高い位置で寝ている場合、睡眠中に頭がわずかに動くと、頭が横から中央に滑り落ちる。このとき、中央凹部の高さはまだ頸椎を支えるのに十分ではなく、不快感を引き起こし、ユーザーは頭を持ち上げて、枕の横の高い位置に戻す必要がある。これも睡眠中断の原因になる。
【０００８】
さらに、横向きまたは仰向けに寝ることに慣れている人かどうかかかわらず、睡眠中に無意識にひっくり返って睡眠位置を調整する限り、頭を上げて位置を調整しなければならない。構造設計上、横向きと仰向けに寝る両方に同時に適用できないだけでなく、横向きと仰向けに寝るに必要な支持力が異なるという上記の問題を解決することもできない。特に横向きで寝るのに慣れている人は、頭を少し動かしても中央凹部に陥り、頭を上げて元の位置に戻らなければならず、深刻な睡眠障害になる。
【０００９】
本考案者はかつて、マットレスおよび枕に適用できる、台湾実用新案公告番号ＴＷＭ５８７４７３号の「人間工学に基づくクッション構造」を考案した。その技術的内容は、クッション本体の上面および下面に複数の間隔を置いた横方向の溝を提供することであり、その結果、弾性支柱が２つの隣接する横方向の溝に形成される。また、各弾性支柱によって提供される反力により、ユーザーはクッション本体に横たわっているときにさまざまな支持力をフィードバックでき、クッション本体の凹部状は、力を加えない場合の人体の自然な曲線にほぼ一致するため、体圧が分散され、関連部位の筋肉が自然的に弛緩する。
【００１０】
前記実用新案ＴＷＭ５８７４７３が実際に枕に適用された後、確実に人体の後頭骨および頸椎に適合し、支持することができ、その結果、後頭骨および頸椎は力が加えられないときの自然な曲線にほぼ一致する。その効果は明らかである。本考案者による徹底的な調査の結果、上記の支持力の分布概念が、横向き睡眠と仰向け睡眠に必要な異なる支持力と一致する場合、特定の方法で設計することにより、枕は仰向けと横向きの両方の睡眠に適しているだけでなく、既知の側面枕がひっくり返ったときに睡眠を中断しやすいという欠点を効果的に克服することができることを発見した。
【考案の概要】
【考案が解決しようとする課題】
【００１１】
本考案の目的は、仰向けと横向きの両側で寝るための人間工学に基づいた両用枕を提供することである。枕の中央部からフィードバックされる支持力は両側の支持力よりも小さいため、ユーザーが仰向けで寝ているときや横向きで寝ているとき、頸椎は力なしで自然な曲線を維持でき、人間工学に一致する。特に睡眠中にひっくり返った場合は、頭を動かさずに適切な支持力を受けて首をリラックスさせることができる。頭を動かすことによる睡眠の中断や睡眠への干渉を簡単に解決でき、市販の側面枕の主な欠点を完全に解決する。
【課題を解決するための手段】
【００１２】
上記の目的を達成するために、本考案は、仰向けと横向きの両側で寝るための人間工学に基づいた両用枕であり、枕は、少なくともその厚さの中央部に複数の通気孔を備えており、その結果、２つの隣接する通気孔ごとの間に弾性支柱が形成される。枕の中央部に配置された複数の弾性支柱は、後頚部と後頭部を支えることができる中央支持部を形成し、枕の両側は、頭の両側を安定して支えることができる側面支持部を形成する。そして、各通気孔および／または弾性支柱の数、幅、配置密度、または高さを調整することにより、中央支持部のフィードバック支持力は、側面支持部のフィードバック支持力よりも小さい。ユーザーが仰向けに寝ている場合でも横向きに寝ている場合でも、力を加えない場合、頸椎は自然な曲線にほぼ一致し、ひっくり返すとき、意図的に頭を持ち上げて動かす必要はなく、睡眠が妨げられたり、中断されたりすることなく、人間工学に一致する。
【００１３】
以下は、各要素の実施形態をさらに説明する。
【００１４】
実施形態において、枕の厚さは、２つの側面支持部に対して対向的な位置に、複数の通気孔および弾性支柱を備えている。各通気孔および／または弾性支柱の数、幅、配置密度、または高さを調整することにより、中央支持部のフィードバック支持力は、側面支持部のフィードバック支持力よりも小さくなる。
【００１５】
実施形態において、枕は一体的に形成されるか、または下層パッドと下層パッドの上面に積層された上層パッドとからなる。上層パッドの上には、ユーザーの頭を置く表層がある。上層パッドの中央底面には上部凹部または下部凸部が設けられ、下層パッドの中央上面には上部凹部または下部凸部に対応して合わせる上部凸部または下部凹部が設けられている。そして、枕の中央支持部に対応する複数の断面溝と弾性支柱は、上層パッドの下部凸部の底面または下層パッドの上部凸部の上面に配置されている。
【００１６】
実施形態において、枕は、上層パッドの前面に寄りかかっている補助パッドをさらに含む。補助パッドの上面または下面には、平行に配置された複数の断面溝が設けられており、補助パッドの中央は、人体の頸椎に対応して敷かれている首支持部を形成している。
【００１７】
従来技術と比較して、本考案は、枕の中央および２つの側面部にそれぞれ、複数の間隔を置いた通気孔および弾性支柱を備えており、その結果、枕の中央部によってフィードバックされる支持力は、２の側面部より小さくなる。これにより、ユーザーが、仰向けに寝るとき、横向きに寝るとき、または寝返りをして寝姿勢を変えるときに適切な支持力を提供できるため、人間工学的に首を完全にリラックスさせることができる。
【００１８】
特に、ユーザーが横向きで寝ているときは、側面支持部の支持力が大きく、腕が圧迫されないほか、横向きに中央支持部で寝ている場合、肩が頸椎を上げた後に必要な支持力が小さい。したがって、中央支持部は頸椎を適度に支持することができるため、市販の側面枕のように、頭が中央凹部から滑りやすく、首が押し戻されてリラックスできなくなることを克服できる。
【００１９】
ユーザーが睡眠中にひっくり返ったとき、上記の構造により、頭を持ち上げたり動かしたりせずに適切な支持力を得ることができ、首をリラックスさせることができることを言及する価値がある。頭を動かすことによって引き起こされる睡眠の中断と干渉である市販の側面枕の主な欠陥を完全に解決する。
【００２０】
以下、本考案の技術的手段に従って、本考案に適した実施形態を列挙し、以下の説明を図面と併せて行う。
【考案の効果】
【００２１】
本考案はユーザーが仰向けに寝ている場合でも横向きに寝ている場合でも、力を加えない場合、頸椎は自然な曲線にほぼ一致し、ひっくり返すとき、意図的に頭を持ち上げて動かす必要はなく、睡眠が妨げられたり、中断されたりすることなく、人間工学に一致する。また、本考案はユーザーが、仰向けに寝るとき、横向きに寝るとき、または寝返りをして寝姿勢を変えるときに適切な支持力を提供できるため、人間工学的に首を完全にリラックスさせることができる。
【図面の簡単な説明】
【００２２】
【図１】本考案の第１実施形態の斜視図である。
【図２】本考案の第１実施形態の分解図である。
【図３】本考案の第２実施形態の斜視図である。
【図４】本考案の第２実施形態の分解図である。
【図５】本考案の第３実施形態の分解斜視図である。
【図６】本考案の第４実施形態の分解斜視図である。
【図７】本考案の第５実施形態の斜視図である。
【図８】本考案の第５実施形態の分解図である。
【考案を実施するための形態】
【００２３】
図１〜図８に示すように、本考案は人間工学に基づいた両用枕に関するものである。枕１００は、少なくともその厚さの中央に配置された複数の通気孔１０を備えており、その結果、弾性支柱２０が、２つの隣接する通気孔１０ごとに形成される。枕１００の中央に配置された複数の弾性支柱２０は、後頚部よび後頭部を支持できる中央支持部１０１を構成し、枕１００の２つの側面は、それぞれ、頭の両側を安定して支持することができる側面支持部１０２を構成する。
【００２４】
図に示された実施形態では、枕１００の厚さはまた、２つの側面支持部１０２に対向する位置に、複数の通気孔１０および弾性支柱２０を備えることもできる。通気孔１０と弾性支柱２０は、それぞれ、その支持力を設定するために重み付けされる。例えば、通気孔１０および／または弾性支柱２０の数、幅、設定密度、細孔深さまたは支柱の高さを重み付け計算の後の微調整および配置を通して、頭部の輪郭の曲率に対応する支持力を提供する。中央支持部１０１のフィードバック支持力は、側面支持部１０２の構造よりも小さいので、ユーザーが仰向けに寝たり、横向きに寝たり、ひっくり返って寝姿勢を変えたりしても、頸椎は、力が加えられていないときは自然な曲線にほぼ一致し、人間工学に一致するため、関連する部位の筋肉が自然にリラックスできる。
【００２５】
以下は、通気孔１０および弾性支柱２０の可能な実施形態についてさらに説明する。図１から図４に示すように、枕１００は、下層パッド３０と、下層パッド３０の上面に積層された上層パッド４０とを一体的に形成または構成することができる。上層パッド４０の上には、ユーザーの頭部を置くクッション用の表層５０がある。
【００２６】
複数の通気孔１０は、平行に配置された複数の断面溝１１によって形成される。例えば、図１に示すように、枕１００が一体的に形成されている場合、スライダー（図示せず）を金型にセットして断面溝を形成し、次にスライダーを動かして金型を開いて、一体的に形成された枕１００は、その厚さにおいて通気孔１０および弾性支柱２０を有する。または、図２に示すように、平行に配置された断面溝１１が、上層パッド４０および／または下層パッド３０の底面または上面にそれぞれ設けられ、上層パッド４０および下層パッド３０が重ね合わされた後、中央支持部１０１および２つの側面支持部１０２がそれぞれ形成される。
【００２７】
複数の中央支持部１０１の断面溝１１および複数の２つ側面支持部１０２の断面溝１１は、図２に示されるように、同じパッド上に配置することができる。または図４に示されるように、上層パッド４０および下層パッド３０は、互いに交錯するように配置されている。すなわち、図では、枕１００の中央支持部１０１に対応する複数の断面溝１１が、下層パッド３０の中央上面に設けられ、枕１００の側面支持部１０２に対応する複数の断面溝１１が、上層パッド４０の両側底面に設けられている。
【００２８】
実施形態において、上層パッド４０および下層パッド３０は、適切な厚さを有する平らなシートであってもよい。または、第２の図に示すように、上層パッド４０の中央底面に下部凸部４１が設けられ、下層パッド３０の中央上面には、下部凸部４１と位置合わせされた下部凹部３１が設けられている。または、第４の図に示すように、上層パッド４０の中央底面に上部凹部４２が設けられ、下層パッド３０の中央上面には、上部凹部４２と位置合わせされた上部凸部３２が設けられている。枕１００の中央支持部１０１に対応する複数の断面溝１１は、上層パッド４０の上部凹部４２の底面または下層パッド３０の上部凸部３２の上面に設けることができる。
【００２９】
したがって、複数の断面溝１１は、上層パッド４０および／または下層パッド３０の底面または上面に設けられ、上層パッド４０と下層パッド３０が重ね合わされた後、２つの隣接する断面溝１１の間に形成された弾性支柱２０は、中央支持部１０１および２つの側面支持部１０２を構成する。
【００３０】
各支持部は、複数の断面溝１１および弾性支柱２０の数、幅、密度、および高さなどの様々な方法を通じて、異なる支持力を達成することができる。例えば、２つの隣接する断面溝１１の間の距離は、弾性支柱２０の厚さを構成する。すべての断面溝１１の幅が同じである場合、２つの断面溝１１間の距離を小さくすると、弾性支柱２０の厚みが薄くなり、支持力が弱くなる。
【００３１】
逆に、各支持部の隣接する２つの断面溝１１ごとの距離が大きくなり、配置密度が緩くなると、各支持部の各弾性支柱２０の厚みが皆増し、支持力が強くなる。各支持部の支持力が全体的に大きくなる。
【００３２】
別の例として、枕１００の幅が６５ｃｍであり、中央支持部１０１の幅が３３ｃｍであり、中央支持部１０１のすべての断面溝１１幅が固定され、そして溝間の距離は１．５ｃｍである。これは、各弾性支柱２０の厚さが１．５ｃｍである場合の２単位の支持力に相当する。
【００３３】
中央支持部１０１の全ての断面溝１１間距離が１ｃｍの場合、各弾性支柱２０の厚みは１ｃｍに減少し、配置密度が密になり、中央支持部１０１全体の支持力が減り、１単位の支持力が得られる。
【００３４】
逆に、中央支持部１０１の全ての断面溝１１間距離が２ｃｍであり、配置密度が緩い場合、中央支持部１０１の各弾性支柱２０の厚さは、すべて２ｃｍに厚くなり、支持力が増加し、３単位の支持力が得られる。
【００３５】
さらに、各支持部はまた、断面溝１１の深さおよび弾性支柱２０の高さから異なる支持力を設定することができる。すべての断面溝１１が同じ幅である場合、隣接する２つの断面溝１１の深さが深くなると、２つの断面溝１１間の弾性支柱２０高さが高くなる。弾性支柱２０は、ユーザーが枕の上に横たわっているときに弱い支持力を提供するので、支持部は重量によってへこむ。逆に、隣接する２つの断面溝１１の深さが浅い場合、２つの断面溝１１間の弾性支柱２０高さが短くなり、より強い支持力が得られる。
【００３６】
例えば、仮に中央支持部１０１のすべての断面溝１１幅が固定されれば、溝間の距離も固定され、各断面溝１１の深さが１．５ｃｍであり、これは各弾性支柱２０の高さが１．５ｃｍであることに相当する場合、２単位の支持力を得ることができる。
【００３７】
中央支持部１０１の全ての断面溝１１深さを２ｃｍに変更すると、各弾性支柱２０の高さが２ｃｍに増加し、中央支持部１０１の支持力が弱くなり、１単位の支持力が得られる。
【００３８】
逆に、中央支持部１０１の全ての断面溝１１深さが１ｃｍの場合、各弾性支柱２０の高さは１ｃｍに減少し、中央支持部１０１の支持力が増加し、３単位の支持力が得られる。
【００３９】
同様に、側面支持部１０２は、前述の原理に従って、断面溝１１および弾性支柱２０の数、幅、密度、断面溝１１の深さおよび弾性支柱２０の高さ等を中央支持部１０１とは異なる支持力を達成するために微調整および構成することは、ここではそれを繰り返さない。
【００４０】
したがって、各支持部の断面溝１１および弾性支柱２０の数、幅、密度、細孔深さ、または支柱高さを重み付け計算した後、中央支持部１０１によってフィードバックされる支持力を側面支持部１０２より小さくする。また、さまざまなユーザーに適した支持力を微調整することができる。ユーザーが枕の上に横たわっているとき、枕１００は、さまざまな支持力によって枕１００をさまざまな程度にたるませ、頭をカバーするのと同様の機能をもたらし、安定した支持を提供する。
【００４１】
例えば、ユーザーが横向きに寝て、頭が側面支持部１０２の上にあるとき、側面支持部１０２は、より大きな支持力を有し、枕１００の厚さは、腕を圧迫することなく、より少ないたるみを有する。さらに、側面支持部１０２および中央支持部１０１は、通常の側面枕よりも高い傾斜を有しないので、後頭部が中央支持部１０１に滑り落ちず、ユーザーが無意識に力を施し、首を後方にアップすることはない。
【００４２】
さらに、ユーザーが横向きの睡眠から仰向けの睡眠に変わるとき、頭の自然なたわみにより、首と後頭部が回転に類似する動きで、中央支持部１０１の上を自然に動くことができる。中央支持部１０１の適切な支持が得られ、頭を持ち上げて位置を移動する必要がなく、凹部による滑り落ちに類似する状態を引き起こさない。
【００４３】
別の例として、図に示すように、ユーザーが中央支持部１０１で横向きに眠る場合、頸椎を肩で持ち上げた後に必要な支持力は小さいため、したがって、中央支持部１０１は、依然として頸椎で適切に支持することができ、市販の側面枕の中央凹部が頭を容易に滑らせ、首を押し戻すことが必要で、実際にはリラックスできないという問題を克服する。
【００４４】
特に、中央支持部１０１および側面支持部１０２は、従来の枕のように、高さの差を使用して、異なる支持力を提供し、中央支持部１０１および側面支持部１０２は、より高い勾配を生成しない。ユーザーが中央支持部１０１で仰向けに寝て、横向きに寝返ると、頭の側面は自然に偏向することができ、側面支持部１０２の上に眠り、頭を持ち上げてサイドサポート部１０２に移動するのに力は必要ない。このように、それは睡眠干渉または中断さえ引き起こさない。
【００４５】
実施形態において、上層パッド４０の上に配置された前述の表層５０は、上層パッド４０の表面上に一体的に形成されるか、または別個に製造され、次いで上層パッド４０上に上下に積み重ねられることもできる。さらに、表層５０は、湾曲した設計にすることができ、両側から見ると、枕１００の前部は凸状で後頚部にフィットし、中央部は比較的凹状で後頭部にフィットし、柔らかいマットレスおよび／または肩幅が狭いユーザーに適している。
【００４６】
図５および図６に示されるように、枕１００は、上層パッド４０の前部に寄りかかって積み重ねている補助パッド６０をさらに含む。補助パッド６０の両側の上面または下面には、複数の平行な断面溝１１が設けられており、補助パッド６０は、枕１００の両側に対して肩支持部６１を形成する。そして、補助パッド６０の複数断面溝１１は、上層パッド４０の両側の複数断面溝１１と対向し、その結果、補助パッド６０の肩支持部６１は、上層パッド４０と同じ支持力を提供する。補助パッド６０の中央は、人体の頸椎に対応する首支持部６２を形成し、これにより、ユーザーは、枕の上に横たわっているときに後頚部を適切に支持することができる。
【００４７】
図６から図８に示される実施形態の通り、本考案はさらに、枕１００が頭を覆い、支持する効果を高めるために、枕１００の表層５０は、２つの側面支持部１０２の上面が中央支持部１０１に向かって傾斜して下降し、両側が厚くて高く、中央部が薄くて低いい構造を形成するように設計することができる。これにより、ユーザーは枕の上に横たわっているときに頭を覆って支えることができ、硬いマットレスや肩幅が広いユーザーに適している。
【００４８】
図７および図８に示されるように、下層パッド３０および／または表層５０はまた、両側がより厚く、中央がより薄い厚さで作製でき、上層パッド４０が平板状であっても、表層５０または下層パッド３０と積層した後、側面支持部１０２の厚さが中央支持部１０１の厚さよりも厚い構造を形成することは依然として可能である。
【００４９】
中央支持部１０１および側面支持部１０２の複数の通気孔１０は、枕１００上に縦方向に平行に配置、水平方向に平行に配置、またはドットマトリックス状に配置することができる。図において、縦方向の配置が例として取り上げられ、縦方向の通気孔１０の前面および／または背面は、それぞれ、枕１００の厚さを貫通する。ユーザーが枕１００の上に横たわるとき、各支持部は、複数の通気孔１０を圧縮しながら支持力を提供し、各通気孔１０内の空気は、圧縮されて風洞効果を発生し、枕１００の前面および／または背面から排出されて、換気を達成し、ムレを低減する。また、パッドの各層と表層は、メモリーフォーム、ラテックス、スポンジ、または備長炭の材料で作ることができる。
【００５０】
以上の説明は、本考案の好適な実施形態に過ぎず、本考案の保護範囲を限定するものではなく、本考案の説明及び添付図面を用いて全ての変更を加えたものも本考案の保護範囲に含まれる。
【符号の説明】
【００５１】
１００  枕
１０１  中央支持部
１０２  側面支持部
１０    通気孔
１１    断面溝
２０    弾性支柱
３０    下層パッド
３１    下部凹部
３２    上部凸部
４０    上層パッド
４１    下部凸部
４２    上部凹部
５０    表層
６０    補助パッド
６１    肩支持部
６２    首支持部
【図１】
0003232583.tif 000003
【図２】
0003232583.tif 000004
【図３】
0003232583.tif 000005
【図４】
0003232583.tif 000006
【図５】
0003232583.tif 000007
【図６】
0003232583.tif 000008
【図７】
0003232583.tif 000009
【図８】
0003232583.tif 000010
【手続補正書】
【提出日】令和3年3月8日(2021.3.8)
【手続補正１】
【補正対象書類名】実用新案登録請求の範囲
【補正対象項目名】全文
【補正方法】変更
【補正の内容】
【実用新案登録請求の範囲】
【請求項１】
人間工学に基づいた両用枕であり、前記枕は、少なくともその厚さの中央部に複数の通気孔を備えており、２つの隣接する前記通気孔ごとの間に弾性支柱が形成され、前記枕の中央部に配置された複数の前記弾性支柱は、後頚部と後頭部を支えることができる中央支持部を形成し、前記枕の両側は、頭の両側を安定して支えることができる側面支持部を形成し、そして、前記各通気孔および／または弾性支柱の数、幅、配置密度、または高さを調整することにより、前記中央支持部のフィードバック支持力は、前記側面支持部のフィードバック支持力よりも小さく、ユーザーが仰向けに寝ている場合でも横向きに寝ている場合でも、力を加えない場合、頸椎は自然な曲線にほぼ一致し、ひっくり返すとき、意図的に頭を持ち上げて動かす必要はなく、人間工学に一致することを特徴とする、人間工学に基づいた両用枕。
【請求項２】
前記両用枕の厚さは、２つの前記側面支持部に対して対向的な位置に、複数の前記通気孔および前記弾性支柱を備えており、前記各通気孔および／または弾性支柱の数、幅、配置密度、または高さを調整することにより、前記中央支持部のフィードバック支持力は、前記側面支持部のフィードバック支持力よりも小さくなることを特徴とする、請求項１に記載の人間工学に基づいた両用枕。
【請求項３】
前記複数の通気孔は、枕上で縦方向に平行に配置され、または横方向に平行に配置され、或いはドットマトリックス状に配置されることができることを特徴とする請求項２に記載の人間工学に基づいた両用枕。
【請求項４】
前記枕は一体的に形成されるか、または下層パッドと前記下層パッドの上面に積層された上層パッドで構成され、前記上層パッドの上には、ユーザーが枕の上に横たわっている枕の表層があることを特徴とする、請求項３に記載の人間工学に基づいた両用枕。
【請求項５】
前記複数の通気孔は、複数の平行に配置された断面溝によって形成され、前記平行に配置された断面溝は、それぞれ、前記上層パッドおよび／または下層パッドの底面または上面に配置され、前記上層パッドおよび下層パッドが積み重ねた後、前記中央支持部と２つの側面支持部を形成することを特徴とする、請求項４に記載の人間工学に基づいた両用枕。
【請求項６】
前記中央支持部の複数の断面溝と２つの側面支持部の複数断面溝は、それぞれ、上層パッドと下層パッドの対応する、重なり合う表面上に互いに交錯して配置されていることを特徴とする、請求項５に記載の人間工学に基づいた両用枕。
【請求項７】
前記上層パッドの中央底面は上部凹部または下部凸部を有し、前記下層パッドの中央上面は前記上部凹部または下部凸部に対応して合わせる上部凸部または下部凹部を有することを特徴とする、請求項５に記載の人間工学に基づいた両用枕。
【請求項８】
前記枕の中央支持部に対応する、複数の断面溝と弾性支柱は、上層パッドの下部凸部の底面または下層パッドの上部凸部の上面に配置されていることを特徴とする、請求項７に記載の人間工学に基づいた両用枕。
【請求項９】
前記枕は上層パッドの前部に寄りかかって積み重ねている補助パッドをさらに含み、前記補助パッドの両側の上面または下面には、複数の平行に排列された断面溝が設けられており、前記補助パッドの中央が人間の頸椎に対応する首支持部を形成することを特徴とする、請求項４から請求項８のいずれの請求項に記載の人間工学に基づいた両用枕。
【請求項１０】
前記表層の２つ側面の反対側にある側面支持部の上面は、中央支持部に向かって下向きに傾斜していることを特徴とする、請求項９に記載の人間工学に基づいた両用枕。
【手続補正書】
【提出日】令和3年4月26日(2021.4.26)
【手続補正１】
【補正対象書類名】実用新案登録請求の範囲
【補正対象項目名】請求項２
【補正方法】変更
【補正の内容】
【請求項２】
前記両用枕は、２つの前記側面支持部に対して対向的な位置に、複数の前記通気孔および前記弾性支柱を備えており、前記各通気孔および／または弾性支柱の数、幅、配置密度、または高さを調整することにより、前記中央支持部のフィードバック支持力は、前記側面支持部のフィードバック支持力よりも小さくなることを特徴とする、請求項１に記載の人間工学に基づいた両用枕。